(57)【特許請求の範囲】
【請求項１】
関節で繋がった肢を固定するための、ループを形成する編み糸及び弾性糸、並びに編み込まれた弾性横糸からなる圧迫丸編地であって、
編地長手方向に離間し、フロートを入れて編まれた２つの第１編地部であって、それらの間に周方向に隣接した更に異なる複数の編地部からなる編地領域（３）が設けられた第１編地部（２）を有し、
前記編地領域（３）が、
フロートを入れて編まれ、フロート数が第１編地部（２）よりも多い第２編地部（４）と、
前記第２編地部（４）に周方向に隣接し、フロートを入れて編まれた２つの第３編地部であって、任意のコースのフロートが、次のコースに対してずれるように編まれる第３編地部（５）と、
前記２つの第３編地部（５）の間に周方向に設けられ、平編みされた第４編地部（７）とを有する、圧迫丸編地。
【請求項２】
請求項１記載の圧迫丸編地において、
前記第２編地部（４）は楕円形状に編まれていることを特徴とする圧迫丸編地。
【請求項３】
請求項１又は２記載の圧迫丸編地において、
前記第３編地部（５）が完全に前記第２編地部（４）を囲うことを特徴とする圧迫丸編地。
【請求項４】
請求項１から３のいずれか１項に記載の圧迫丸編地において、
前記第１編地部（２）が、フロートの割合ｘ：ｙで編まれ、ｘ＜ｙであることを特徴とする圧迫丸編地。
【請求項５】
請求項４に記載の圧迫丸編地において、
前記第１編地部（２）が、フロートの割合１：３で編まれることを特徴とする圧迫丸編地。
【請求項６】
請求項４又は５に記載の圧迫丸編地において、
前記第２編地部（４）が、フロートの割合ａ：ｂで編まれ、ａ≦ｂであり、ｂ＜ｙであることを特徴とする圧迫丸編地。
【請求項７】
請求項６に記載の圧迫丸編地において、
前記第２編地部（４）が、フロートの割合１：１で編まれることを特徴とする圧迫丸編地。
【請求項８】
請求項１から７のいずれか１項に記載の圧迫丸編地において、
前記第３編地部（５）が、前記フロートのずれに関し、ジグザグパターンとなるように編まれることを特徴とする圧迫丸編地。
【請求項９】
請求項１から８のいずれか１項に記載の圧迫丸編地において、
前記第３編地部（５）が、フロートの割合１：２で編まれていることを特徴とする圧迫丸編地。
【請求項１０】
請求項１から９のいずれか１項に記載の圧迫丸編地において、
人造繊維から又は天然繊維から形成された編み糸が使用されることを特徴とする圧迫丸編地。
【請求項１１】
請求項１から１０のいずれか１項に記載の圧迫丸編地において、
異なる色の編み糸を使用して、前記第１から第４編地部（２，４，５，７）を形成することを特徴とする圧迫丸編地。
【請求項１２】
請求項１から１１のいずれか１項に記載の圧迫丸編地において、
エラステイン芯に人造繊維から又は天然繊維から形成された糸を巻きつけて形成した弾性糸が使用されることを特徴とする圧迫丸編地。
【請求項１３】
請求項１から１２のいずれか１項に記載の圧迫丸編地において、
エラストマーから形成された横糸が使用されることを特徴とする圧迫丸編地。
【請求項１４】
請求項１から１３のいずれか１項に記載の圧迫丸編地において、
弾性折り返し部（８）が第１編地部（２）の各端部に編み付けられる又は縫い付けられることを特徴とする圧迫丸編地。
【請求項１５】
請求項１から１４のいずれか１項に記載の圧迫丸編地において、
肘関節領域を固定する上肢用ストッキング、又は、膝関節領域を固定する下肢用ストッキング又はパンティーストッキングとして形成されることを特徴とする圧迫丸編地。
【請求項１６】
請求項１０又は１２に記載の圧迫丸編地において、
前記人造繊維は、ポリアミド、ポリエステル、又はポリプロピレンであることを特徴とする圧迫丸編地。
【請求項１７】
請求項１０又は１２に記載の圧迫丸編地において、
前記天然繊維は、綿又は生糸であることを特徴とする圧迫丸編地。
【請求項１８】
請求項１３に記載の圧迫丸編地において、
前記エラストマーは、ポリウレタンエラストマーであることを特徴とする圧迫丸編地。
【発明の詳細な説明】
【技術分野】
【０００１】
本発明は、関節で繋がった肢を固定するための圧迫丸編地であって、ループを形成する編み糸及び弾性糸、並びに編み込まれた弾性横糸からなる圧迫丸編地に関する。
【背景技術】
【０００２】
この種の圧迫丸編地は圧迫療法における治療の補助に多く用いられ、リンパ系、静脈系を締め付けずに、覆われた肢の細胞に対し外部圧力をかける。このような圧迫編地は、長手方向に継ぎ目ができないよう、丸編地となっており、複数の異なる種類の糸から構成される。具体的には、ループステッチを形成する編み糸及び弾性糸を有し、弾性糸により編地は伸展性という特性を備えることとなる。肢に対し必要な圧力をかけるために、弾性横糸がコース間を通過するよう編み込まれる。横糸はループ頭とループ終わりの間に設けられる。
【発明の概要】
【発明が解決しようとする課題】
【０００３】
多くの場合、圧迫丸編地は上肢又は下肢の肘又は膝関節領域、即ち可動部及び／又は特定の関節が開閉する箇所に装着される。ここでの圧迫編地は単純な円筒状の丸編地であり、肢の動きにより着け心地が損なわれる場合がある。関節の閉動作により、関節の内側表面の部位では素材が縮れてしまい、関節の外側表面の部位では過剰に延びてしまうのである。
【０００４】
従って、本発明の課題は、着け心地を向上させた圧迫丸編地を提供することである。
【課題を解決するための手段】
【０００５】
上記課題を解決するため、本発明は、関節で繋がった肢を固定するための、ループを形成する編み糸及び弾性糸、並びに編み込まれた弾性横糸からなる圧迫丸編地であって、
編地長手方向に離間し、フロートを入れて編まれた２つの第１編地部であって、それらの間に周方向に隣接した更に異なる複数の編地部からなる編地領域が設けられた第１編地部を有し、
前記編地領域が、
フロートを入れて編まれ、フロート数が第１編地部よりも多い第２編地部と、
前記第２編地部に周方向に隣接し、フロートを入れて編まれた２つの第３編地部であって、任意のコースのフロートが、次のコースに対してずれるように編まれる第３編地部と、
前記２つの第３編地部の間に周方向に設けられ、平編みされた第４編地部とを有する、圧迫丸編地を提供する。
【０００６】
本発明の圧迫丸編地は種々の個別かつ互いに異なる編地部を有し、それらの特殊な構造により、肢の形状に合う解剖学的形状となる。即ち本発明の丸編地は若干傾斜して形成することができる。具体的には、負荷のない状態の編地の特性として、若干屈曲又は傾斜した形状とすることができる。このような形状と、異なる個別の複数の編地部を編むことにより生じる特殊な手触り感とが相まって、特に関節の内側及び外側表面の問題が生じるとされる部位に顕著な、より良い着け心地が得られる。
【０００７】
このためにまず、丸編地には、編地長手方向に離間した２つの第１編地部が設けられる。第１編地部はフロートを入れて編まれる。即ち、１針毎にループステッチを形成するのではなく、フロートの種類に応じて定められた所定の間隔でループステッチを抜くのである。これら２つの第１編地部は、丸編地における主要、かつ、最大面積を有する部位となる。本発明において、さらに装着部における関節に対応する箇所に位置する編地領域が第１編地部間に設けられる。当該編地領域は、丸編地の全周域を画定し、編地長手方向から見て数センチの領域に延在し、全３つの異なって編まれた個別の編地部からなる。
【０００８】
第１編地部と同様、フロートを入れて編まれる第２編地部が設けられる。第２編地部は第１編地部よりもフロート数が多くなるように編まれる。例えば、第１編地部のフロートの割合が１：３の場合、４針に１針のみループステッチを抜く（このことにより編み糸と弾性糸がフロートする）が、例えば第２編地部のフロートの割合が１：１ならば、２針に１針はループステッチが抜かれるため、フロートした編み糸の数が多くなる。このようにして、大量の糸部材をフロート、即ち浮いた状態にすることができる。結果として、圧迫作用を得るための編み込まれた横糸が収縮すると、同様に各フロート部で浮いている糸部材が若干収縮し縮れることとなり、上記フロート糸部材が縮れ、フラシ天のようになる。コース数が多いことから、フロート数も多いため、必然的にフロート編み糸は大きな範囲で縮れることとなり、フラシ天のような触感と柔かい手触りの隆起構造が得られる。横糸が周方向に若干収縮することで、全体的な効果としてさらに以下のような効果が得られる。即ち、編地長手方向から見て、隣接する第１編地部が互いに近接するよう若干引っ張られる。従って、当該領域において、編地長手方向に対して若干、屈曲／傾斜する。フロートステッチとループステッチは一様にウェール方向に延びることが好ましい。その結果、フロートの割合が１：１の場合、フロートステッチと隣接するループステッチが交互に配置される。
【０００９】
本発明の圧迫丸編地が装着されると、前記第２編地部は関節内側部分に位置することとなる。当該部分は通常、遮蔽されていることが多いため、当該部分の肌は敏感である。そのため、フラシ天状の表面が当該部分に充てられていることで、一定の緩衝作用及び／又は触感的に着け心地の良さが得られる。
【００１０】
本発明ではさらに、２つの第３編地部が設けられる。第３編地部は第２編地部に対し周方向に隣接して設けられ、編み方が異なる。第３編地部には上記と同様にフロート編みがされるが、本発明では任意のコースのフロートは次のコースに対しずらして編まれる。より具体的には、例えば、第１ループ列のフロートが１針目で編まれている場合、隣接する第２列のフロートは同じ順番の針ではなく、例えばすぐ次の針で形成される。従って、フロートは、例えばコース間で１針分ずれる。これにより、一定の強度を持つ編地の表面構造が得られ、従って皺低減効果が得られる。即ち、フロートをずらすことで、編地は多少強化される。ここでも横糸により特定のフロートにおいて収縮が起きるため、ずれたフロートにより所定の表面構造が得られる。即ち、安定作用を有し、皺防止作用を発揮する複数の線状隆起部が形成される。２つの第３編地部は第２編地部を周方向に横から隣接し、当該第２編地部を周方向に囲む。
【００１１】
最後に、２つの第３編地部の間に第４編地部が設けられ、編地領域が完成する。当該第４編地部は単純な平編みである。従って、１針ずつループが形成されるので、ループ数が非常に多くなる。ここでのループ数は、先述したようにフロートを入れて編まれた、隣接する第１編地部のループ数よりも多い。ループ数の多さから、第４編地部ではより大量の編み部が発生し、形状効果が得られる。外方屈曲部及び／又は外方伸展部を、関節外側表面のこの編地側で形成させられるためである。
【００１２】
上記したように、本発明の丸編地では異なる４種の編地部が設けられる。即ち、２つの第１編地部がフロートを入れて編まれる。第２編地部はフラシ天状表面を形成し、第１編地部に比べループ数は少なく、フロート数は多くなるよう編まれる。２つの第３編地部は列間でフロートがずれるように編まれ、周方向に安定作用を提供する。第４編地部は平編みされており、フロートはなく、ループ数が非常に多くなる。このような全周に亘る編地領域の特定の設計により、第２、第４編地部のそれぞれは屈曲して編まれる。これは、第２編地部ではフロート数の多さに起因する横糸の収縮によるものであり、第４編地部においては非常に多いループ数、即ち平編みパターンによる伸展によるものである。
【００１３】
これにより総合的な効果として、手触りのよいフラシ天状領域を有し、非常に高い着け心地と圧迫作用の両方が得られ、体形状に合った編地が実現される。
【００１４】
本発明の更なる形態として、第２編地部は楕円及び／又は長円状に編まれてもよい。この形状は、肘関節、膝関節の両方において、実際の関節内側部の形状に対し有利であることが確認されている。原則的には、当然当該領域は例えば長方形であってもよいが、楕円／長円状が好ましいことが確認されている。
【００１５】
上述のように、２つの第３編地部は第２編地部の周方向両側に隣接する。ここでは、編地部長手方向から見て、第２編地部が直接２つの第１編地部に隣接するように２つの第３編地部が横方向にのみ第２編地部と隣接することが考えられる。しかし、有利な実施形態では、第３編地部が完全に第２編地部を囲む。従って第２編地部は第３編地部で囲われる（従って第３編地部は周方向から見て一体となる）。これは第３編地部による皺低減効果に対し有利に働く。
【００１６】
上記のように、第１編地部はフロートを入れて編まれ、フロートの割合はｘ：ｙでｘ＜ｙであることが好ましい。即ちフロートの割合が少なくとも１：２、好ましくは１：３で編まれ、同様にフロートの割合は１：４又は２：５であってもよい。好ましくはフロートの割合が１：３で編まれる。
【００１７】
冒頭に述べたように、第２編地部もフロートを入れて編まれる。ここでは、フロート比はａ：ｂであって、ａ≦ｂであり、ｂ＜ｙであることが好ましい。従って、ここではフロート数が多くなるようフロートの割合が１：１で編むことができる。ｂ＜ｙである限り、即ちこの編地部のフロート数が第１編地部よりも大きければ、例えばフロートの割合が１：２で編んでもよい。ただし、フロートの割合が１：１で編むことが好ましい。
【００１８】
上述のように、分離されている場合でも、一体となっている場合（第２編地部を囲んでいる場合）でも、第３編地部は編地を安定化させる。このために、本発明ではコース間でフロートをずらしている。フロートは１ループごと、又は２ループごとにずらしてもよいが、１ループごとにずらすのが好ましい。従って、例えばここでフロートの割合が１：３で編まれた場合では、コース間で毎回フロートは１ループずつずらされる。ここでもある程度弾性横糸が特定のフロートを収縮させることから、若干隆起した線状構造が形成される。従って、一様に一方向に延びる、隆起した「線」を形成することができる。そして、周方向から見て、例えば隣接する３又は４コースにおいてフロートを一方向にずらし、その後ずれ方向を反転させ、次の３又は４コースにおいてフロートを反対方向にずらすことでジグザグパターンを形成することが好ましい。この結果、ジグザグ状の隆起線状構造が形成される。
【００１９】
編み糸は人造繊維、特にＰＡ（ポリアミド），ＰＥＳ（ポリエステル），ＰＰ（ポリプロピレン）から、又は天然繊維、特に綿や生糸から形成することができるが、ＰＡ糸の使用が好ましい。これに関連して、前記第１から第４編地部をそれぞれ異なる色の編み糸で形成してもよい。これにより、多色丸編地を作成することができる。従って、単色の編み糸の場合では構造のみ異なっている異なる複数の編地部が、更に色の違いによって判別可能となる。従って、異なる色の編み糸を使用することで、非常に見栄えよくとらえられ得る多彩な編地を作成することができるようになる。
【００２０】
好ましくは、弾性糸はエラステイン芯に人造繊維、特にＰＡ，ＰＥＳ，ＰＰから、又は天然繊維、特に綿や生糸からなる糸を巻きつけることで形成される。編み糸と巻きつけ糸を同じ素材とすることが好ましく、ここでもＰＡの使用が好ましい。
【００２１】
最後に、横糸はエラストマー、好ましくはＰＵ（ポリウレタン）エラストマーから作られることが好ましい。
【００２２】
さらに実現可能な実施形態として、第１編地部の端部に弾性折り返し部が編みつけ、又は縫い付けられる。従って、要求された場合又は必要な場合、折り返し部は丸編地を作成する際に作成されてもよいし、あらかじめ作成された弾性折り返し部を縫い付けてもよい。
【００２３】
本発明に係る圧迫丸編地は、好ましくは肘関節領域を固定する上肢用ストッキングとして形成される。或いは、膝関節領域を固定するための、パンティーストッキング形状を含む、下肢用ストッキングとして形成されてもよい。肘、膝の両関節の内側部の肌は、ほぼ使用されることはないため、比較的敏感である。従って、本発明において同部に配置される、第２編地部による緩衝部は、特に着け心地を向上する効果がある。肘関節は、特に９０度を大幅に上回り、場合によっては１２０度をはるかに上回るような非常に大きな曲げ角度を有するが、膝関節も大きく曲げることが可能な場合がある。従って、第４編地部を形成することにより、着け心地に関する利点が得られ、丸編地の若干屈曲した基本形状の総合的利点として、高い着け心地の良さが得られる。
【００２４】
本発明の効果、特徴、及び詳細は以下に説明される実施例及び図面から明らかになる。
【図面の簡単な説明】
【００２５】
【図１】図１は発明に係る第１実施形態の丸編地の基本的構造を示す。
【図２】図２は種々の編地部を編むための種々の方法を説明するための編みパターンを示す。
【図３】図３は発明に係る第２実施形態の丸編地の基本的構造を示す。
【発明を実施するための形態】
【００２６】
図１は、全３糸で形成された、発明に係る圧迫丸編地１を示す。まず、編み糸及び弾性糸によりループを作成する。ＰＡ糸が編み糸に使用され、エラステイン芯と、ＰＡ巻糸部からなる糸が弾性糸に使用されることが好ましい。更に、弾性横糸が編み込まれることで、編地が形成される。丸編み機において、横糸が２つの編み列のループ終わりとループ頭間に延びるように編地に編み込まれることで丸編地が作成される。
【００２７】
図１に示す本発明の丸編地１は、上腕及び下腕を跨ぐ、即ち肘関節を覆う上肢用ストッキングとして構成され、複数の異なる編地部からなる。まず、図１に示すように、編地部としては最大の面積を有する、上下編地領域を形成する２つの第１編地部２が設けられる。２つの第１編地部２はフロートを入れて編まれる。好ましくはフロートの割合は１：３である。即ち、任意のコースにおいて、３つのループが平編みされ、次のループが抜かれることで、そこで編み糸と弾性糸がフロートする。横糸は編み込まれる及び／又は同延である。
【００２８】
２つの第１編地部２の間には全周に亘り設けられた編地領域３が設けられている。編地領域３は、更に、個別かつ異なる３つの編地部からなる。まず、好ましくは楕円形状を有する第２編地部４が設けられる。第２編地部４は、第１編地部２と同様にフロートを入れて編まれるが、フロート数が格段に多いことで異なる。好ましくは、フロートの割合は１：１である。即ち、平編みループとフロートとが交互に設けられる。ここで、横糸も編み込まれているため、横糸の弾性力、即ち収縮により、先述の場合と同様に、フロートで編み糸と弾性糸が収縮する及び／又は縮れる。第２編地部はフロート数が非常に多いため、編み糸と弾性糸の浮いた部分が多い。そして好ましいフロートの割合１：１の場合、大量の糸隆起部分が発生するため、編地部４が顕著な隆起構造を持つようになり、フラシ天のような手触りとなる。編地部４は、当該隆起緩衝部が、丸編地１の装着部において内側に位置し、肌に触れるように編まれる。第２編地部において、フロートとループはコース間で一致するため、編地長手方向から見て複数の隣接した隆起線が得られる。隆起列は、１ループ分のみ離間しているため、非常に近接しており、ほぼ途切れない隆起フラシ天状表面が得られる。上述のように、第２編地部４におけるループ数は第１編地部２よりもかなり少ないが、第２編地部４におけるフロート数は２つの第１編地部２よりもかなり多い。
【００２９】
編地領域３は更に、２つの第３編地部５を有する。周方向から見て、２つの第３編地部５は両側から第２編地部４に接する。図示の実施例では、２つの第３編地部５（図１には一方のみを示すが、他方は編地の反対側に位置する）は対応する接続部６を介して接続されている。接続部６は同様にして編まれており、完全に第２編地部４を囲む、ほぼ途切れない編地部が形成される。
【００３０】
第３編地部もフロートを入れて編まれている。フロートの割合は１：２が好ましいが、１：３でもよい。ここで重要なのは、隣接するコースのそれぞれのフロートが、好ましくは１ループ及び／又は１針分ずれていることである。ここでも、横糸が特定のフロートで収縮及び／又は若干縮れを起こすため、編地を横切って略傾斜状に延びる線状隆起部が形成される。好ましくは、フロートのずれ方向を反転することでジグザグパターンが形成される。即ち、フロートは３，４、又は５コースでまず一周方向にずれており、その後ずれ方向が反転し、次の３，４、又は５コースで他方の周方向にずれ、そしてその後またずれ方向が反転し以下同様となる。その結果、安定作用、即ち編地強化作用を有し、皺防止に作用するジグザグ構造が得られる。
【００３１】
最後に、編地領域３内の第４編地部７が第３編地部５に隣接し、編地領域３が完成する。この編地部７内では、平編みとなるため、１針毎にループが編まれる。従ってこの部位ではループ数が大量、具体的には最大となる。そのためこの部位では糸容量も最大となる。従って、編地長手方向から見て略伸展編地部が形成され、図１に示すようにこの部位では屈曲又は傾斜した構造が得られる。上記したように、第２編地部４は非常に高いフロート数で編まれるので、当該部位における横糸は編地の強力な収縮を起こし、編み糸が縮れフラシ天のようになり、ここでも若干の屈曲が生じる。従って、これらのことから、編地は一方側の第２編地部４にて収縮するよう設計されており、幾何学的に、いわゆる屈曲形状となっている。反対側では、非常に多いループ数により、伸展が生じ、反対方向ではあるが、同様に屈曲形状が形成される。従って、これらのことから、図１に示すように、延ばした状態の肢の形状に若干合うような屈曲した編地基本形状が得られる。さらに第２編地部４により実現される一定の緩衝作用が、敏感な関節の内側表面に設けられることで着け心地が向上する。
【００３２】
第１編地部２の各端部にはさらに、折り返し部８が設けられている。折り返し部８は一体的に当該部位に編み込まれてもよいし、あらかじめ作成しておき、当該部位に縫い付けられてもよい。必要であれば、折り返し部の内側面にすべり防止コーティングがされてもよい。
【００３３】
図２は図１の丸編地１における（ＩＩ）部を詳細に示す編み図であり、全編地部２，４，５、及び７が部分的に示されている。
【００３４】
図２は技術パターンをｘ×ｙのピクセルからなるｘ−ｙマトリクスで示すものである。各ピクセルは上記のように編まれる又はフロートするループに対応する。各編みループは、対応するピクセルに「ｏ」として記載され、ピクセルが空白の箇所は糸がフロートしていることを示す。
【００３５】
まず図２は２つの第１編地部２を示す。図２では第１編地部２は主に右側の上下端部に示される。同編み図から明らかなように、この編地部、即ち基礎編地部となる部分はフロートの割合が１：３で編まれる。通常、３つの編みループ９にフロート１０が続き、更に３つの編みループ９、そしてフロート１０と続き以下同様となる。この部分において各コース１１は、特定のフロート１０がコース１１とコース１１の間で２ループ分ずつずれるように平編みされる。
【００３６】
図２において、第２編地部４は編み図の反対側に示されている。この第２編地部４は特定のパターンにより隆起した、フラシ天状部分となっており、フロートの割合が１：１で編まれている。従ってループ９とフロート１０が交互に配置される。このようにして１：１のウェール構造が実現される。図２に示すように、上下のコース１１は同一に編まれる。即ち、編地長手方向からみて、上下に同一のコース１１が配置される。
【００３７】
このように編むことで、上述したように弾性横糸がループ頭とループ終わりの間で編み込まれ、特定のフロート１０の部分で収縮する。結果として浮いている糸部材も同様に若干縮れる。図２に示すように、全フロート１０、従ってループ９が線状となっているので、略線及び／又は列状の糸の隆起部が形成される。各列の間隔は１ループ９及び／又はループ線のみなので、結果として、ほぼ途切れない、隆起フラシ天状表面が得られる。
【００３８】
２つの第３編地部５は前述の第２編地部４の両側に隣接する。図１に示すように、接続部６が編まれると、２つの第３編地部５は接続され、楕円又は長円状の第２編地部４を囲む。図２の編みパターンからわかるよう、編地部５はフロートの割合が１：２で構成される。従って、２つのループに続いて１つのフロートが編まれるパターンとなる。各コース１１は、コース１１とコース１１の間で各フロート１０が１ループ／１針分ずれるように編まれ、ずれる方向は３コース１１毎に反転する。従って、フロート１０は図２の２つの連続した線で示されるよう、ジグザグパターンを形成する。図２に示すよう、このような平行ジグザグパターンが複数設けられる。
【００３９】
さらに、ここでも各フロート１０部分で若干弾性横糸が収縮するため、フロートする糸部材が縮れる。ただし、各フロート１０がウェール１２の方向（即ちコース１１に対して垂直）にずれており、ジグザグ状に編まれているため、完成した編地では、各糸は特定のフロートで全て縮れて、それに応じてある程度隆起した、フロートパターンに対応したジグザグ列が形成される。図２のループ図に示すようにジグザグ列はフロートの割合が１：２で編まれているため、ウェール方向に２ループ分の間隔があいている。これら隆起ジグザグ列は編地部５を安定化し、防皺作用及び／又は皺発生防止作用を発揮する。図２ではフロートの割合が１：２となっているが、当然ここではフロートの割合が１：３，２：４，２：５であってもよい。特定のフロートが列間で１針ずつずれることでジグザグパターンが形成されさえすればよいのである。
【００４０】
最後に、図２は第４編地部７の編み図も示す。この編地部７は平編みされる。即ち、当該編み図から明らかなように、１針毎にループが編まれる。従って、単位面積当たりのループ数はここで最大となるので、ループ、糸量ともに多い。このため、図１に示すようにこの領域である種の伸展部が形成され、若干屈曲した形状が得られる。これに対し、第２編地部４ではループ数が最少となり、フロート数が最大となるため、この領域では弾性横糸の復元力による高い収縮度から、若干収縮し、図１に示すようにここでも若干屈曲が生じる。
【００４１】
各編地部の編み形態は図２に示すパターンに対応する必要はないということも最後に付け加えておかねばならない。そのため、原則的にはフロートの割合がｘ：ｙかつｘ＜ｙで編まれる第１編地部２は、図示のようにフロートの割合１：３ではなく、フロートの割合が１：４、２：４、または２：５で編まれてもよい。上記例ではフロートの割合が１：１で編まれている、原則的にフロートの割合がａ：ｂかつａ≦ｂ，ｂ＜ｙで編まれる第２編地部４は、例えばフロートの割合が２：２又は１：２で編まれてもよい。ただし、フロート数が第１編地部２よりも多いことが常に重要である。好ましくは、図２に示す単一のウェール１２が、上記のような列構造又はリブ構造となるよう、編み図が構成されることが好ましい。
【００４２】
第３編地部５もまた、フロートの割合が１：３又は２：４で編まれてもよい。必要なのは、ジグザグ構造が得られるように、コース間でフロートが常に対称的に１針ずつずれていることである。
【００４３】
第４編地部７は単純に、全体を通して平編みされていることが好ましい。
【００４４】
最後に、図３に発明に係る、下肢用ストッキングとしての丸編地１の更なる実施形態を示す。当該下肢用ストッキングは根本的に、図１の丸編地１と同じ編地部を備える。従って、ここでも第１編地部２からなる基礎編地が設けられる、ここで、図３に示す下方第１編地部２は足部を備えている。足部は当然、必要ならば特定の編地を有する。
【００４５】
ここでも、２つの第１編地部２の間には、図１に示したような編地領域３が設けられる。当該編地領域３はここでも、フラシ天のような、即ち若干隆起した柔かで滑らかな表面をなす第２編地部４を有する。同表面は、下肢、より詳細には肌に面する。ここでも編地領域３は完全に第３編地部５に囲まれており、第３編地部５はここでも接続部６で接続されている。これらが隣接配置されることで、第４編地部７により編地領域３が完成する。各編地部の編みパターンは図１記載のものと同様である。ここで対象となっているのは一体的に編まれた足部を有する下肢用ストッキングであるため、折り返し部８は一つのみ設けられる。
【００４６】
さらに、ここでの編地領域３は通常、装着部において、柔かい緩衝材的な第２編地部４の、フラシ天状の柔かく、隆起した表面が膝の裏に面する及び／又は膝の裏側領域に配置されている。そしてループ数が多いため伸展し、編地部７で形成された反対側の領域が膝領域を覆う。本丸編地は、足部の代わりに第２折り返し部を設けた下肢用ストッキング、または完全な一対のパンティーストッキングとして形成してもよい。
【図１】
0005905506.tif 000002
【図２】
0005905506.tif 000003
【図３】
0005905506.tif 000004